(57)【要約】【課題】吸着成分物質の形状や性状等に依存することなく使用できる汚染物吸着シートとする。【解決手段】シート状の担体である布シート１の表面に接着剤５を介して固体状態の吸着成分物質２（ゼオライト）が物理的に接着・固定され、汚染物吸着シート３が構成され、特定の汚染物質（放射性セシウム）を吸着する。【選択図】  図２
2013184149.tif 000002
【特許請求の範囲】
【請求項１】
シート状の担体に、汚染物質を吸着する吸着成分物質を物理的に固定したことを特徴とする汚染物吸着シート。
【請求項２】
請求項１に記載の汚染物吸着シートにおいて、
前記吸着成分物質をバインダーで前記担体に接着固定したことを特徴とする汚染物吸着シート。
【請求項３】
請求項２に記載の汚染物吸着シートにおいて、
前記吸着成分物質は、石炭灰を由来としたゼオライトである
ことを特徴とする汚染物吸着シート。
【請求項４】
請求項１に記載の汚染物吸着シートにおいて、
硫酸と前記吸着成分物質を混合してゲル化し、ゲル化した前記吸着成分物質を前記担体に接着固定したことを特徴とする汚染物吸着シート。
【請求項５】
請求項４に記載の汚染物吸着シートにおいて、
前記吸着成分物質は、タンニンであり、
吸着される前記汚染物質は、放射性物質を含む
ことを特徴とする汚染物吸着シート。
【請求項６】
請求項１から請求項５のいずれか一項に記載の汚染物吸着シートにおいて、
流体中の前記汚染物質を吸着させる
ことを特徴とする汚染物吸着シート。
【請求項７】
請求項１から請求項５のいずれか一項に記載の汚染物吸着シートにおいて、
土壌の前記汚染物質を吸着させる
ことを特徴とする汚染物吸着シート。
【発明の詳細な説明】
【技術分野】
【０００１】
本発明は、汚染物質を吸着する汚染物吸着シートに関する。
【背景技術】
【０００２】
環境に存在する科学汚染物質等の不純物は、粒子状の物質はフィルターにより捕捉され、分子状の物質は吸着シートに吸着される等して除去されている（例えば、特許文献１参照）。フィルターや吸着シートは、活性炭を用いて不純物を除去するものが主流であり、液体や気体等に含まれる不純物を除去することが可能である。
【０００３】
しかし、活性炭では十分に除去することができない不純物も多く存在し、特定の放射性物質等の除去には、汚染物質を吸着する吸着成分物質を個別に選定して使用しているのが現状である。このため、特定の放射性物質等を除去するには、選定された吸着成分物質の形状や性状等に依存した状態で使用せざるを得ず、使用に際しては種々の制約があるのが実情であった。
【先行技術文献】
【特許文献】
【０００４】
【特許文献１】特開２０１０−１８８３１８号公報
【発明の概要】
【発明が解決しようとする課題】
【０００５】
本発明は上記状況に鑑みてなされたもので、特定の汚染物質を吸着することができ、吸着成分物質の形状や性状等に依存することなく使用することができる汚染物吸着シートを提供することを目的とする。
【課題を解決するための手段】
【０００６】
上記目的を達成するための請求項１に係る本発明の汚染物吸着シートは、シート状の担体に、汚染物質を吸着する吸着成分物質を物理的に固定したことを特徴とする。
【０００７】
請求項１に係る本発明では、吸着成分物質をシート状の担体に物理的に固定したので、特定の汚染物質を吸着することができ、吸着成分物質の形状や性状等に依存することなく使用することが可能になる。
【０００８】
そして、請求項２に係る本発明の汚染物吸着シートは、請求項１に記載の汚染物吸着シートにおいて、前記吸着成分物質をバインダーで前記担体に接着固定したことを特徴とする。
【０００９】
請求項２に係る本発明では、吸着成分物質をバインダーで担体に接着固定したので、容易に汚染物吸着シートを作成することができる。
【００１０】
また、請求項３に係る本発明の汚染物吸着シートは、請求項２に記載の汚染物吸着シートにおいて、前記吸着成分物質は、石炭灰を由来としたゼオライトであることを特徴とする。
【００１１】
請求項３に係る本発明では、石炭灰を由来とした人工のゼオライトを担体に接着固定し、ゼオライトで汚染物質を吸着させることができ、放射性物質を含む汚染物質も吸着させることができる。
【００１２】
また、請求項４に係る本発明の汚染物吸着シートは、請求項１に記載の汚染物吸着シートにおいて、硫酸と前記吸着成分物質を混合してゲル化し、ゲル化した前記吸着成分物質を前記担体に接着固定したことを特徴とする。
【００１３】
請求項４に係る本発明では、ゲル化した吸着成分物質を担体に接着固定することができる。担体に接着固定する場合、バインダーを用いることが好適である。
【００１４】
また、請求項５に係る本発明の汚染物吸着シートは、請求項４に記載の汚染物吸着シートにおいて、前記吸着成分物質は、タンニンであり、吸着される前記汚染物質は、放射性物質を含むことを特徴とする。
【００１５】
請求項５に係る本発明では、タンニン、例えば、五倍子をゲル化して担体に接着固定し、放射性物質を吸着させることができる。吸着成分物質として、フラボノイド、カニやエビを由来とするキトサン、アルギン酸を適用することも可能である。
【００１６】
また、請求項６に係る本発明の汚染物吸着シートは、請求項１から請求項５のいずれか一項に記載の汚染物吸着シートにおいて、流体中の前記汚染物質を吸着させることを特徴とする。また、請求項７に係る本発明の汚染物吸着シートは、請求項１から請求項５のいずれか一項に記載の汚染物吸着シートにおいて、土壌の前記汚染物質を吸着させることを特徴とする。
【００１７】
請求項６に係る本発明では、大気中、水中、海中等の流体中の汚染物を吸着できる汚染物吸着シートとなる。請求項７に係る本発明では、土壌の汚染物を吸着できる汚染物吸着シートとなる。例えば、汚染物として放射性物質の吸着を行った場合、シートであるため回収が容易であり、回収後の処分の制約が少なく、回収・処分の管理を安全で且つ確実に実施することができる。
【発明の効果】
【００１８】
本発明の汚染物吸着シートは、特定の汚染物質を吸着することができ、吸着成分物質の形状や性状等に依存することなく使用することが可能になる。
【図面の簡単な説明】
【００１９】
【図１】本発明の一実施例に係る汚染物吸着シートの概念図である。
【図２】汚染物吸着シートの作成例を説明する工程図である。
【図３】汚染物吸着シートの作成例を説明する工程図である。
【図４】汚染物吸着シートの作成例を説明する工程図である。
【図５】吸着成分物質の汚染物質吸着性能の一例を説明するグラフである。
【図６】吸着成分物質の汚染物質吸着性能の一例を説明するグラフである。
【図７】汚染物吸着シートの使用例の説明図である。
【図８】汚染物吸着シートの使用例の説明図である。
【図８】汚染物吸着シートの使用例の説明図である。
【発明を実施するための形態】
【００２０】
本実施例の汚染物吸着シートは、担体として布を適用し、吸着成分物質として石炭灰を由来とするゼオライト（人工ゼオライト）等を布に接着したものである。また、吸着成分物質としてタンニン（五倍子）を用い、濃硫酸と混合してろ過し、ゲル化したものを布に接着したものである。そして、ゼオライト等により、特定の汚染物質として放射性物質（放射性セシウム等）を吸着することができる。放射性物質は、大気中に存在している場合でも、貯留液体中（水中）に存在している場合でも、吸着することができる。
【００２１】
図１から図９に基づいて本実施例の汚染物吸着シートを具体的に説明する。
【００２２】
図１には本発明の一実施例に係る汚染物吸着シートの概念、図２には固体の吸着成分物質が適用される汚染物吸着シートの作成例を説明する工程、図３には他の作成例を説明する工程、図４には液体の吸着成分物質が適用される汚染物吸着シートの作成例を説明する工程を示してある。
【００２３】
また、図５、図６には吸着成分物質の汚染物質吸着性能の一例を説明するグラフを示してあり、図５（ａ）はゼオライトの汚染物質吸着性能、図５（ｂ）は五倍子の汚染物質吸着性能、図６（ａ）は活性アルミナの汚染物質吸着性能、図６（ｂ）はバーミキュライトの汚染物質吸着性能、図６（ｃ）は石炭灰の汚染物質吸着性能である。
【００２４】
また、図７、図８には汚染物吸着シートの使用例を示してあり、図７は家屋の換気口への適用例、図８は貯留槽に貯留された汚染水の汚染物質除去への適用例を示してある。更に、図９には汚染物吸着シートの処分例を示してある。
【００２５】
図１に示すように、シート状の担体である布シート１の表面には、固体状態の吸着成分物質２が物理的に固定され、汚染物吸着シート３が構成されている。吸着成分物質２は、例えば、汚染物質である放射性セシウムを吸着する人工ゼオライトが用いられる。固体状態の吸着成分物質２としては、活性アルミナ、バーミキュライト、石炭灰、チェストナット、ハイドロタルサイト、天然ゼオライト等が適用される。吸着成分物質２の種類により、放射性コバルト、放射性ストロンチウム、放射性ヨウ素等が汚染物質として吸着される。
【００２６】
図２に基づいて汚染物吸着シート３の作成手順を説明する。
【００２７】
図２（ａ）に示すように、布シート１の表面に接着剤５を塗布し、図２（ｂ）に示すように、接着剤５が塗布された面に必要な量の固体粒・粉状の吸着成分物質２を振り掛ける、振り撒く、吹き付ける等し、吸着成分物質２を接着剤５により布シート１の面に接着させる（物理的に固定させる）。これにより、図２（ｃ）に示すように、表面が吸着成分物質２で覆われた布シート１が作成され、汚染物吸着シート３とされる。
【００２８】
汚染物吸着シート３は、固体粒・粉状の吸着成分物質２が布シート１の表面に接着されているので、吸着成分物質２を選択することにより特定の放射性物質（例えば、主に放射性セシウム）を吸着することができる。また、固体粒・粉状の吸着成分物質２を接着剤５により接着しているので、吸着成分物質２が外部に露出して吸着面積を広く確保することができる。
【００２９】
また、布シート１の形状や大きさを適宜選択することにより、吸着成分物質２の形状や性状等に依存することなく任意の形状で使用することができる。更に、汚染物吸着シート３を回収することにより、特定の放射性物質を回収して処分することができる。
【００３０】
図３に基づいて汚染物吸着シートの他の実施例を説明する。
【００３１】
図３（ａ）に示すように、容器４１で接着剤１１と吸着成分物質２を混合して撹拌しゲル状物を作成する。図３（ｂ）に示すように、布シート１の表面にゲル状物を均一に流す。これにより、図３（ｃ）に示すように、接着剤１１と吸着成分物質２を混合して一体化した接着シート材１２が表面に接着固定された汚染物吸着シート１３とされる。
【００３２】
また、図３（ｄ）に示すように、容器４１で接着剤１１と吸着成分物質２を混合して撹拌しゲル状物を作成し、容器４１の中に布シート１を浸漬させる。図３（ｅ）に示すように、容器４１から布シート１を取り出すことで、図３（ｆ）に示すように、接着剤１１と吸着成分物質２を混合して一体化した接着シート材１２が表面、裏面に接着固定された汚染物吸着シート４２とされる。
【００３３】
汚染物吸着シート１３、４２は、接着剤１１と吸着成分物質２が一体化された接着シート材１２が布シート１の表面に接着固定されているので、極めて容易に作成することができる。
【００３４】
図４に基づいて汚染物吸着シートの他の実施例を説明する。本実施例は、吸着成分物質として、吸着成分物質、例えば、タンニン（五倍子）を適用したものである。
【００３５】
図４（ａ）に示すように、タンニン（五倍子）１５及び濃硫酸（Ｈ２ＳＯ４）１６を混合し、ろ過した後、図４（ｂ）に示すように、ゲル化した吸着成分物質１７を得て、布シート１の面に吸着成分物質１７を接着剤５により接着させる（物理的に固定させる）。これにより、図４（ｃ）に示すように、表面が吸着成分物質１７で覆われた布シート１が作成され、汚染物吸着シート１８とされる。
【００３６】
尚、接着剤５を用いて吸着成分物質を接着固定した例を挙げて説明したが、接着剤５を用いずに固定することも可能である。
【００３７】
図５に基づいてゼオライト（吸着成分物質２を布シート１に固定）と五倍子（吸着成分物質１７）の吸着性能の試験結果を説明する。
【００３８】
図５（ａ）に示した結果は、２０ｍＬの試験水（濃度５０ｐｐｍのＣｓ、Ｓｒ、Ｃｏ、Ｉ）の中に吸着成分物質２（ゼオライト）を入れて攪拌し、一定時間経過した後に試験水の一部を取出して、Ｃｓ（○）、Ｓｒ（●）、Ｃｏ（△）、Ｉ（▲）の濃度を測定した結果である。図に示すように、ゼオライトを用いた吸着成分物質２は、主に、汚染物質としてのＣｓ（○）及びＩ（▲）が吸着されていることが判る。
【００３９】
図５（ｂ）に示した結果は、２０ｍＬの試験水（濃度５０ｐｐｍのＣｓ、Ｓｒ、Ｃｏ、Ｉ）の中に吸着成分物質１７（五倍子＋Ｈ２ＳＯ４）を入れて攪拌し、一定時間経過した後に試験水の一部を取出して、Ｃｓ（○）、Ｓｒ（●）、Ｃｏ（△）、Ｉ（▲）の濃度を測定した結果である。図に示すように、五倍子を用いた吸着成分物質１７は、主に、汚染物質としてのＳｒ（●）及びＣｏ（△）が吸着されていることが判る。
【００４０】
図５の結果から、吸着成分物質２を固定した汚染物吸着シート３、１３、４２、及び、吸着成分物質１７を固定した汚染物吸着シート１８を用いることで、特定の汚染物質を吸着できることが判る。また、吸着成分物質２、１７を適宜組み合わせて布シート１に固定することにより、Ｃｓ、Ｓｒ、Ｃｏ、Ｉをはじめとして、他の放射性物質等の多種類の汚染物質を吸着できる汚染物吸着シートを得ることが可能になる。
【００４１】
図６に基づいて他の吸着成分物質の吸着性能を説明する。
【００４２】
図６に示した結果は、図５の結果の試験と同様に、２０ｍＬの試験水（濃度５０ｐｐｍのＣｓ、Ｓｒ、Ｃｏ、Ｉ）の中に、他の吸着成分物質をそれぞれ入れて攪拌し、一定時間経過した後に試験水の一部を取出して、Ｃｓ（○）、Ｓｒ（●）、Ｃｏ（△）、Ｉ（▲）の濃度を測定した結果である。
【００４３】
図６（ａ）は発泡化した活性アルミナを吸着成分物質として使用した結果である。図に示すように、活性アルミナを吸着成分物質とすることで、主に、Ｃｏ（△）及びＳｒ（●）が吸着されていることが判る。図６（ｂ）はバーミキュライトを吸着成分物質として使用した結果である。図に示すように、バーミキュライトを吸着成分物質とすることで、主に、Ｉ（▲）が吸着されていることが判る。図６（ｃ）は石炭灰を吸着成分物質として使用した結果である。図に示すように、石炭灰を吸着成分物質とすることで、主に、Ｃｏ（△）が吸着されていることが判る。
【００４４】
図６に示した吸着成分物質の他に、他の物質を使用することができ、他のタンニンをゲル化したものを使用することもできる。
【００４５】
図７、図８に基づいて汚染物吸着シート３（１３、１８）の使用例を説明する。本実施例の汚染物吸着シート３（１３、１８）は、布シート１に吸着成分物質２（１７）を固定したものであるため、使用する形状や大きさを任意に設定することができる。また、図９に基づいて汚染物吸着シート３（１３、１８）の処分例を説明する。
【００４６】
図７は家屋の換気口への適用例を示したものである。図に示すように、家屋２１の換気口２２に、所定の形状に加工した汚染物吸着シート３（１３、１８）を設置する。これにより、外部環境に存在する汚染物質が換気口２２を流通する過程で汚染物吸着シート３（１３、１８）に汚染物質が吸着され、家屋２１の中に汚染物質が侵入することが大幅に抑制される。
【００４７】
図８は貯留槽に貯留された汚染水の汚染物質除去への適用例を示したものである。汚染物質を含む汚染水が貯留された貯留槽２５に、所定の大きさ・形状に加工された汚染物吸着シート３（１３、１８）を直接、または、カートリッジ等に収容して投入する。所定期間が経過した後、汚染物質が吸着された汚染物吸着シート３（１３、１８）を取出して処分する。これにより、回収した汚染水に含まれる汚染物質を容易に処理することができる。
【００４８】
他の使用例として、汚染物質を含む汚染土の表層土を除去した後に、所定の大きさに加工された汚染物吸着シート３（１３、１８）を土壌面に敷設し、汚染物吸着シート３（１３、１８）の上に汚染物質が露出しないように汚染土を埋め戻すようにして使用することも可能である。これにより、汚染土を処分することなく、汚染土壌の除染を行うことができる。
【００４９】
汚染物吸着シート３（１３、１８）を汚染土壌の除染に用いることにより、汚染土の処分が不要になると共に、雨などにより水が浸み込んでも、汚染物吸着シート３（１３、１８）に汚染物質が吸着されて汚染物質が地下水に流れ込むことがない。また、汚染土壌を回収することなく、汚染物吸着シート３（１３、１８）だけを回収して処分することも可能である。
【００５０】
汚染物質が吸着された汚染物吸着シート３（１３、１８）は、回収することが容易で燃焼が可能なので、図９に示すように、焼却処分することにより大幅な減容が可能である。即ち、回収して集めた汚染物吸着シート３（１３、１８）の集合物５１を焼却炉５２に投入し、焼却炉５２で焼却処分する。焼却後、焼却炉５２から灰５３を取り出す。取り出された灰５３の容積は、汚染物吸着シート３（１３、１８）の集合物５１の容積に対して大幅に少ないので、大幅な減容を達成することができる。従って、使用済みとなった汚染物吸着シート３（１３、１８）の処分を容易に行うことが可能である。
【産業上の利用可能性】
【００５１】
本発明は、汚染物質を吸着する汚染物吸着シートの産業分野で利用することができる。
【符号の説明】
【００５２】
１  布シート
２、１７  吸着成分物質
３、１３、１８、４２  汚染物吸着シート
５、１１  接着剤
１２  接着シート材
２１  家屋
２２  換気口
２５  貯留槽
４１  容器
５１  集合物
５２  焼却炉
５３  灰
【図１】
2013184149.tif 000003
【図２】
2013184149.tif 000004
【図３】
2013184149.tif 000005
【図４】
2013184149.tif 000006
【図５】
2013184149.tif 000007
【図６】
2013184149.tif 000008
【図７】
2013184149.tif 000009
【図８】
2013184149.tif 000010
【図９】
2013184149.tif 000011
【手続補正書】
【提出日】平成24年3月14日(2012.3.14)
【手続補正１】
【補正対象書類名】明細書
【補正対象項目名】００１９
【補正方法】変更
【補正の内容】
【００１９】
【図１】本発明の一実施例に係る汚染物吸着シートの概念図である。
【図２】汚染物吸着シートの作成例を説明する工程図である。
【図３】汚染物吸着シートの作成例を説明する工程図である。
【図４】汚染物吸着シートの作成例を説明する工程図である。
【図５】吸着成分物質の汚染物質吸着性能の一例を説明するグラフである。
【図６】吸着成分物質の汚染物質吸着性能の一例を説明するグラフである。
【図７】汚染物吸着シートの使用例の説明図である。
【図８】汚染物吸着シートの使用例の説明図である。
【図９】汚染物吸着シートの使用例の説明図である。